(57)【特許請求の範囲】
【請求項１】
スピーカと、降圧トランスとを受信器本体に内蔵させ、ワイヤレス発信器からの呼出信号を受信して、呼出音を鳴動させるワイヤレス呼出受信器において、
受信器本体を、表殻と裏殻とより成る２ピース縦割構造となし、表殻は、中央部に比べて、左、右の両側部の厚みが小さくなるように丸みを持たせた形状に形成するとともに、上記スピーカを受信器本体の中央部よりも一方の側部に片寄らせた位置に収容させ、音孔を、中央部を除いた部分に穿設し、かつ上記降圧トランスを、受信器本体の中央部の下方に収容させた構造としているワイヤレス呼出受信器。
【請求項２】
請求項１において、
上記受信器本体の中央部には、用件ランプと、用件を記す表示部とを複数宛組み合わせて設けるとともに、それぞれの用件ランプは、予め対応させて登録したワイヤレス発信器からの呼出信号を受けたときに点灯する構成にしているワイヤレス呼出受信器。
【請求項３】
請求項１又は請求項２において、
上記ワイヤレス呼出受信器の中央部の上部には、ワイヤレス発信器からの呼出信号を受けたときに、発光する呼出受信ランプを設けた構造としているワイヤレス呼出受信器。
【請求項４】
請求項１又は請求項２において、
上記呼出受信ランプは、ワイヤレス発信器からの呼出信号を受けたときに発光する発光ランプを内蔵させた押ボタン構造となっており、この押ボタンを押圧操作したときには、呼出音と発光ランプの発光を停止する構成としているワイヤレス呼出受信器。
【発明の詳細な説明】
【０００１】
【発明の属する技術分野】
本発明は、ワイヤレス発信器からの呼出信号を受信して、呼出音を鳴動させるワイヤレス呼出受信器に関する。
【０００２】
【従来の技術】
この種のワイヤレス呼出受信器は、呼出音を鳴動出力するためのスピーカと、外部から供給された商用電源を降圧して内部回路を作動するとともに、ランプを点灯するためのトランスを内蔵しており、受信器本体の大きさは、スピーカとトランスの配置状態で決まってしまう。そのため、ワイヤレス呼出受信器は、所望の機能と設計仕様に合ったスピーカとトランスを選定すると、全体が大きくなってしまうという問題がある。
【０００３】
また、卓上型のワイヤレス呼出受信器では、薄型にするとトランスの配置位置が偏り、その安定度が損なわれてしまって転倒し易くなるという問題がある。
【０００４】
【発明が解決しようとする課題】
本発明は、上記問題を解消し、コンパクト化が図れ且つ薄型でスマートな上に、安定性にも優れたワイヤレス呼出受信器を提供することを目的としている。
【０００５】
【課題を解決するための手段】
本発明は、上記目的を達成するために提案されたものであって、請求項１に記載のワイヤレス呼出受信器は、スピーカと、降圧トランスとを受信器本体に内蔵させ、ワイヤレス発信器からの呼出信号を受信して、呼出音を鳴動させるワイヤレス呼出受信器において、受信器本体を、表殻と裏殻とより成る２ピース縦割構造となし、表殻は、中央部に比べて、左、右の両側部の厚みが小さくなるように丸みを持たせた形状に形成するとともに、上記スピーカを受信器本体の中央部よりも一方の側部に片寄らせた位置に収容させ、音孔を、中央部を除いた部分に穿設し、かつ上記降圧トランスを、受信器本体の中央部の下方に収容させた構造としている。
【０００６】
したがって、表殻を中央部に比べて、左、右の両側部の厚みが小さくなるように丸みを持たせた形状に形成しているので、受信器本体の薄型化が図れる。また、スピーカを、表殻の中央部よりも一方の側部に片寄らせた位置に収容させ、中央部を除いた部分に音孔を穿設しているので、スピーカを内蔵させた場合にも係わらず、受信器本体のコンパクト化が図れ、重量のある降圧トランスを、受信器本体の中央部の下方に収容させているので、安定性が良い。
【０００７】
請求項２に記載のワイヤレス呼出受信器は、請求項１において、上記受信器本体の中央部には、用件ランプと、用件を記す表示部とを複数宛、組み合わせて設けるとともに、それぞれの用件ランプは、予め対応させたワイヤレス発信器からの呼出信号を受けたときに点灯する構成にしている。
【０００８】
したがって、スピーカからの音響と用件ランプの点灯によって、ワイヤレス発信器からの呼出し及び用件を感知することができ、特に、耳の不自由な使用者や騒音の大きい環境下においても、ワイヤレス発信器からの呼出し及び用件を感知できる。
【０００９】
請求項３に記載のワイヤレス呼出受信器は、請求項１又は請求項２において、受信器本体の中央上部には、ワイヤレス発信器からの呼出信号を受けたときに、発光する呼出受信ランプを設けた構造としている。
したがって、この呼出受信ランプが発光することによって、ワイヤレス発信器からの呼出しが確実に感知できる。
【００１０】
請求項４に記載のワイヤレス呼出受信器は、請求項１又は請求項２において、上記呼出受信ランプは、ワイヤレス発信器からの呼出信号を受けたときに発光する発光ランプを内蔵させた押ボタン構造になっており、この押ボタンを押圧したときには、呼出音と発光ランプの発光を停止する構成としている。
したがって、呼出受信ランプの発光を感知した後には、押ボタンを押圧することによって、発光ランプの発光を停止し、次の呼出しに対して直ちに対応できる。
【００１１】
【発明の実施の形態】
以下、本発明に係るワイヤレス呼出受信器の一実施例について、図とともに説明する。図１はワイヤレス呼出受信器の一部を切欠した正面図、図２は背面図、図３は使用状態を示す斜視図、図４は底面図を示している。
【００１２】
ワイヤレス呼出受信器Ａは、これらの図に示すように、受信器本体１が表殻１１と裏殻１２の２ピース縦割構造となっており、表殻１１は、図５によく示すように、中央部１１ａに比べて、左、右の両側部１１ｂ、１１ｃの厚みが小さくなるように丸みを持たせた曲面形状に形成しており、スピーカ２は、表殻１１の内面に円枠として示された枠突部２ａ内に、そのコーン部分を収容させることによって表殻１１の中央部１１ａよりも右側部１１ｂに片寄らせた位置に収容させている。
【００１３】
また、スピーカ２の音孔２１も枠突部２ａ内で、表殻１１の中央部１１ａを除いた右側部１１ｃ側に穿設して形成している。更に、外部の商用電源から内部回路に電源を供給するための降圧トランス３は、図６に示した受信器本体１の裏殻１２の中央部１１ａの内面に突出形成された枠突部３１に固定されて、図８に示したように、受信器本体１の中央部１１ａの下方に収容され、表殻１１の中央部１１ａの内面には、上下４個の用件ランプ１２を取り付ける孔部を形成した枠突部１２'が設けられている。用件ランプ１２は、図１や図７に示されたように、表殻１１の中央部１１ａに、上下方向に配列され、更にこれに対応するようにして上下４列の表示部１３が組み合わせて設けられている。
【００１４】
受信器本体１の中央部１１ａの上部には、呼出受信ランプ４が設けられ、この呼出受信ランプ４は、上方を押圧する押ボタン構造になっており、後述するワイヤレス発信器Ｔ（＃ｎ）からの呼出信号を受けたときに発光する複数の発光ランプを内蔵させている。したがって、このような構造のワイヤレス呼出受信器Ａが、ワイヤレス発信器Ｔから呼出を受ければ、呼出音を出力すると同時に呼出受信ランプ４を点滅する。そして、このようにして呼出受信ランプ４が点滅しているときにその押ボタンを押圧すれば、スピーカ２からの呼出音と発光ランプの点滅が同時に停止し、用件ランプ１２の発光も停止する。なお、符号５は受信器本体１の左側端部より上方に向けて突設されたアンテナ、符号６はコード８を有し、コンセント７に差し込まれて外部より電源を受けるためのプラグである。
【００１５】
また、ワイヤレス呼出受信器Ａには、図１、図７に示すように、赤色点灯してキャリア電波を受信したことを示す受信モニタランプ９、電源のＯＮ、ＯＦＦ状態を点灯で示す通電表示灯１０、スピーカ２の音量を大中小の３段階に切替えする報知音量調整スイッチ２０、スピーカ２の報知回数を１回、２回、３回のいずれかに設定する設定スイッチ３０、ワイヤレス呼出受信器Ａと組み合わせて使用するワイヤレス発信器Ｔ（＃ｎ）のＩＤコードを登録するときに使用する登録ボタン４０を設けている。
【００１６】
このようなワイヤレス呼出受信器Ａは、ワイヤレス発信器Ｔ（＃ｎ）との間で通信を行うためのキャリア電波の周波数を特定するためにチャンネル設定スイッチ５０を設けており、このチャンネル設定スイッチ５０は、図４（ｂ）に示した、受信器本体の底面にディップスイッチを設けて構成され、ディップスイッチの操作によって、キャリア電波の周波数をＣＨ１，ＣＨ３，ＣＨ５，ＣＨ７の４種類のうち、いずれかに選択設定できるようにしている。
【００１７】
ワイヤレス呼出受信器とともに使用されるワイヤレス発信器としては、図９〜図１５に示すものがある。図９（ａ）〜（ｄ）に示すワイヤレス発信器Ｔ（＃１）は、玄関先等に設置され、来客を知らすために使用され、このワイヤレス受信器Ｔ（＃１）の押ボタン１００を押すと、ワイヤレス呼出受信器Ａに呼出を行い、これを受信したワイヤレス呼出受信器Ａからは、「ピンポーン」等といった呼び出しチャイム音が鳴り、受信器Ａの用件ランプ１２のうち、来客用表示部に対応するランプが点灯する。このとき、ワイヤレス呼出受信器Ａの呼出受信ランプ４も同時に点滅するようになっている。なお、図９（ｅ）に示す１００'はワイヤレス発信器Ｔ（＃１）の背面にディップスイッチとして設けたチャンネル設定スイッチである。
【００１８】
図１０に示すのは、複数の用件を知らせることができる複数の押ボタン１０１〜１０３を設けたワイヤレス発信器Ｔ（＃２）である。このワイヤレス発信器Ｔ（＃２）において、例えば、居間に居るときには上部の押ボタン１０１を押し、洗面所に居るときには中央部の押ボタン１０２を押し、洗濯場に居るときには下部の押ボタン１０３を押すなどして使い分けでき、ワイヤレス呼出受信器Ａを呼出すと、これを受信したワイヤレス呼出受信器Ａからは、それぞれ異なる音色が鳴るとともに、それぞれに応じた用件ランプ１２が点灯し、このとき呼出受信ランプ４も同時に点滅する。なお、図１０（ｄ）に示す１０１'は、ワイヤレス発信器Ｔ（＃１）の背面にディップスイッチとして設けたチャンネル設定スイッチであり、１１０は押ボタン１０１〜１０３を操作したときに点灯する動作表示ランプ、１１１は暗闇で光る蓄光シールである。
【００１９】
図１１に示すのは、玄関先等の天井等に取り付けられる熱線センサー１０４を組み込んだワイヤレス発信器Ｔ（＃３）である。玄関先に人が来たときに、熱線センサー１０４で人を感知して、ワイヤレス呼出受信器Ａを呼出すると、これを受けたワイヤレス呼出受信器Ａからは、人物を検知した旨の音色が鳴るとともに、これに対応した表示部の用件ランプ１２が点灯し、呼出受信ランプ４も同時に点滅する。図１１（ｄ）に見るように、ワイヤレス発信器Ｔ（＃３）の上面には、ディップスイッチとしてチャンネル設定スイッチ１０４'の他に、呼出、報知音としてピンポン音と、用件ランプに対応した受信窓の設定音を切換設定するための音色設定スイッチ１０４"を設けている。なお、図１１（ｅ）は、天井面への取り付け例を示している。
【００２０】
図１２に示すのは、ペンダント型のワイヤレス発信器Ｔ（＃４）であって、その引っ掛け紐１０６を首などに吊し、携帯出来るようになっており、このワイヤレス受信器Ｔ（＃４）の押ボタン１０５を押すと、ワイヤレス呼出受信器Ａに呼出を行い、これを受信したワイヤレス呼出受信器Ａからは、呼出音が出力され、同時に呼出受信ランプ４が点滅する。図１２（ｅ）に示す１０５'は、背面に設けたディップスイッチで構成されたチャンネル設定スイッチであり、１１０は押ボタン１０５を押圧操作して呼出を行ったときに点灯する動作表示ランプである。
【００２１】
図１３に示すのは、カード型のワイヤレス発信器Ｔ（＃５）であり、このワイヤレス発信器Ｔ（＃５）の押ボタン１０７を押せば、ワイヤレス呼出受信器Ａを呼出し、これを受信したワイヤレス呼出受信器Ａでは、音色と表示部の用件ランプの点灯によって、呼出を確認することができる。１１０は、押ボタン１０７を押圧操作して呼出を行ったときに点灯する動作表示ランプ、１１１は暗闇でも存在が分かるように発光する蓄光シールである。
【００２２】
図１４に示すのは、机等の卓上に置かれて使用される卓上型のワイヤレス発信器Ｔ（＃６）であって、このワイヤレス発信器Ｔ（＃６）の押ボタン１０８を押せば、ワイヤレス呼出受信器Ａを呼出し、これを受信したワイヤレス呼出受信器Ａでは、呼出音の音色と表示部の用件ランプ１２の点灯によって、呼出を確認することができる。図１４（ｄ）で示す１０８'は、底面に内蔵させたディップスイッチで構成されたチャンネル設定スイッチである。
【００２３】
図１５に示すのは、浴室などで使用される防水型のワイヤレス発信器Ｔ（＃７）であって、浴室などで気分が悪くなったときなどに、このワイヤレス発信器Ｔ（＃７）の押ボタン１０９を押圧操作して、家族に緊急を知らせるように使用できる。図１５（ｅ）に示す１０９'はチャンネル設定スイッチであり、底面に内蔵させたディップスイッチで構成されている。
【００２４】
図１６は、ワイヤレス発信器Ｔの内部構造を示すブロック図であって、信号処理部（ＣＰＵ）Ｃに、電池Ｂと割り込み部Ｄと前述したようなチャンネル設定スイッチを設けたチャンネル設定部Ｅと電池切れ検出部ＦとＩＤ書き込み部Ｇと無線送信部ＨとＰＬＬ制御部Ｊと報知・表示部Ｋとチャンネル設定部Ｌとが接続され、無線送信部ＨはアンテナＭに接続されている。チャンネル設定部Ｅには、周波数設定スイッチを設けており、その周波数をＣＨ１、ＣＨ３、ＣＨ５、ＣＨ７のいずれかに設定できるようになっている。
【００２５】
図１７はワイヤレス呼出発信器Ａの内部構造を示すブロック図であり、信号処理部（ＣＰＵ）Ｎに、電源Ｐとチャンネル設定部ＱとＩＤ全消去スイッチＲと通常モードと登録モードとを切替える切替スイッチＳと波形整形回路Ｔ１とＰＬＬ制御部Ｕと受信ランプ出力部Ｖと報知ランプ出力部Ｗと報知音出力部Ｘと電池切ランプ出力部Ｙと周波数設定スイッチを設けたチャンネル設定手段Ｚとが接続され、波形整形回路Ｔ１には復調回路Ｔ２が接続され、この復調回路Ｔ２には受信部Ｔ３が接続されていて、更にこの受信部Ｔ３にはアンテナＭが接続されており、受信部Ｔ３にはＰＬＬ制御部Ｕが接続されている。
【００２６】
図１８（ａ）〜（ｅ）は、ワイヤレスコールシステムにおけるワイヤレス呼出受信器Ａの基本動作を示すタイムチャートである。いずれかのワイヤレス発信器Ｔ（＃ｎ）から呼び出しがあると、呼出受信ランプ４が所定時間（３分間程）点滅し、スピーカ２が所定時間（３秒〜１０秒程度）鳴動して呼出音を出力し、対応した用件ランプ１２・・・が所定時間（３分間程度）点灯する。所定時間が過ぎると、呼出音が停止し、呼出受信ランプ４の点滅が終了するとともに点灯していた用件ランプ１２が消灯する。
【００２７】
次に、別のワイヤレス発信器Ｔ（＃ｎ）から呼び出しがあると、呼出受信ランプ４の発光ランプ４１が点滅し、スピーカ２が鳴動して呼出音を出力し、対応した用件ランプ１２が点灯する。ここで、スピーカ２の鳴動と用件ランプ１２のいずれかの点灯を確認した後に、呼出受信ランプ４を押すと、点滅は停止し、用件ランプ１２の点灯も解除され、受信可能な状態に復帰される。
【００２８】
【発明の効果】
以上説明したように、請求項１に記載のワイヤレス呼出受信器によれば、２ピース構造とされた受信器本体の表殻が、中央部に比べて、左、右の両側部の厚みが小さくなるように丸みを持たせた形状になっているので、受信器本体の薄型にし、スマートにできる。
【００２９】
更に、スピーカを受信器本体の中央部よりも一方の側部に片寄らせた位置に収容させ、音孔を、中央部を除いた部分に穿設しているので、中央部は用件表示部として有効利用が図れ、受信器本体のコンパクト化を図ることができる。
また受信器本体の薄型化とコンパクト化を図ることができるとともに、重量のある降圧トランスを表殻の中央部の下方に収容させているので、安定度が良い。
【００３０】
請求項２に記載のワイヤレス呼出受信器によれば、スピーカからの呼出音と用件ランプの点灯によって、ワイヤレス発信器からの呼出し及び用件を確実に感知でき、特に、耳の不自由な使用者でも、用件ランプの点灯によって、ワイヤレス発信器からの呼出し及び用件を感知できる。更に、用件ランプと用件を示す表示部とが組み合わせて設けられているので、点灯した用件ランプに対応する表示部を見ることによって、その用件も容易に知ることができる。
【００３１】
請求項３に記載のワイヤレス呼出受信器によれば、受信器本体の中央部に設けられた呼出受信信号ランプが発光することによって、ワイヤレス発信器からの呼出しが一層分かりやすくできる。
請求項４に記載のワイヤレス呼出受信器によれば、呼出受信ランプの発光を感知して、呼出しの用件を認識した後に、押ボタンを押圧操作すれば、発光ランプの発光を直ちに停止するので、次の呼出しに対しても直ちに対応することができる。
【図面の簡単な説明】
【図１】本発明のワイヤレス呼出受信器の一部を切欠した正面図である。
【図２】ワイヤレス呼出受信器の背面図である。
【図３】ワイヤレス呼出受信器の使用状態を示す斜視図である。
【図４】（ａ）ワイヤレス呼出受信器の底面図、（ｂ）は底面に設けたチャンネル設定スイッチを示す説明図である。
【図５】ワイヤレス呼出受信器の表殻を示し、（ａ）はその内面図、（ｂ）は左側面図、（ｃ）は右側面図、（ｄ）は底面図である。
【図６】ワイヤレス呼出受信器の裏殻を示し、（ａ）はその内面図、（ｂ）は左側面図、（ｃ）は右側面図、（ｄ）は底面図である。
【図７】（ａ）はワイヤレス呼出受信器の外観構成を示す正面図、（ｂ）は右側面図である。
【図８】（ａ）はワイヤレス呼出受信器の一部切欠した底面図、（ｂ）は一部切欠した右側面図である。
【図９】呼出しチャイムとして構成されたワイヤレス発信器を示し、（ａ）は正面図、（ｂ）は側面図、（ｃ）は裏面図、（ｄ）は底面図、（ｅ）はチャンネル設定スイッチを示す説明図である。
【図１０】３つの呼出釦を設けたワイヤレス発信器を示し、（ａ）は平面図、（ｂ）は正面図、（ｃ）は側面図、（ｄ）はチャンネル設定スイッチを示す説明図である。
【図１１】熱線センサーを組み込んだワイヤレス発信器を示し、（ａ）は一部切欠した底面図、（ｂ）は一部切欠した正面図、（ｃ）は平面図、（ｄ）はチャンネル設定スイッチを示す説明図、（ｅ）は天井面に取り付けた状態を示す図である。
【図１２】ペンダント型のワイヤレス発信器を示し、（ａ）は正面図、（ｂ）は平面図、（ｃ）は背面図、（ｄ）は側面図、（ｅ）はチャンネル設定スイッチを示す説明図である。
【図１３】カード型のワイヤレス発信器を示し、（ａ）は平面図、（ｂ）は正面図、（ｃ）は側面図、（ｄ）は底面図である。
【図１４】卓上型のワイヤレス発信器を示し、（ａ）は平面図、（ｂ）は正面図、（ｃ）は底面図、（ｄ）はチャンネル設定スイッチを示す説明図である。
【図１５】防水型のワイヤレス発信器を示し、（ａ）は平面図、（ｂ）は正面図、（ｃ）は底面図、（ｄ）はチャンネル設定スイッチを示す説明図である。
【図１６】ワイヤレス発信器の内部構成を示すブロック図である。
【図１７】ワイヤレス呼出受信器の内部構成を示すブロック図である。
【図１８】ワイヤレスコールシステムの基本動作を示すタイムチャートである。
【符号の説明】
Ａ ワイヤレス呼出受信器
１ 受信器本体
１１ 表殻
１１ａ 中央部
１１ｂ 左側部
１１ｃ 右側部
１２ 裏殻
２ スピーカ
２１ 音孔
３ 降圧トランス
１２ 用件ランプ
１３ 用件表示部
４ 呼出受信ランプ
４１ 発光ランプ
４２ 押ボタン
Ｔ（＃１）〜（＃ｎ） ワイヤレス発信器
【図１】
0003694711.tif 000002
【図２】
0003694711.tif 000003
【図３】
0003694711.tif 000004
【図４】
0003694711.tif 000005
【図５】
0003694711.tif 000006
【図６】
0003694711.tif 000007
【図７】
0003694711.tif 000008
【図８】
0003694711.tif 000009
【図９】
0003694711.tif 000010
【図１０】
0003694711.tif 000011
【図１１】
0003694711.tif 000012
【図１２】
0003694711.tif 000013
【図１３】
0003694711.tif 000014
【図１４】
0003694711.tif 000015
【図１５】
0003694711.tif 000016
【図１６】
0003694711.tif 000017
【図１７】
0003694711.tif 000018
【図１８】
0003694711.tif 000019